(57)【要約】【課題】取り付け作業および取り外し作業を容易にすることができる表示装置を提供すること。【解決手段】表示ユニット取付用の固定部材１１０と、固定部材１１０に係合する第１の位置と固定部材１１０から離隔する第２の位置との間を回動する回動部材１４０および第１の位置ならびに第２の位置で付勢する付勢部材１５０を有する表示ユニット１２０とを備え、回動部材１４０が固定部材１１０に係合することで表示ユニット１２０を固定部材１１０に固定し、回動部材１４０が固定部材１１０から離隔することで表示ユニット１２０を固定部材１１０から離脱するように構成する。【選択図】　図１
2004037708.tif 000002
【特許請求の範囲】
【請求項１】
表示ユニット取付用の固定部材と、
前記固定部材に係合する第１の位置と前記固定部材から離隔する第２の位置との間を回動する回動部材および前記第１の位置ならびに前記第２の位置で付勢する付勢部材を有する表示ユニットとを備え、
前記回動部材が前記固定部材に係合することで前記表示ユニットを前記固定部材に固定し、前記回動部材が前記固定部材から離隔することで前記表示ユニットを前記固定部材から離脱するように構成されたことを特徴とする表示装置。
【請求項２】
前記表示ユニットは、前記回動部材を、この回動部材が回動する時の回動軸にて支持する支持部材を有し、前記付勢部材は、一端が前記支持部材に設けられた付勢部材取付部に取り付けられ、他端が前記回動部材に設けられた付勢部材取付軸に取り付けられることを特徴とする請求項１に記載の表示装置。
【請求項３】
前記表示ユニットは、前記支持部材が配設された第１の面と、前記第１の面の背面に位置する第２の面とを有し、前記回動部材は、前記第１の面側から前記回動部材に外力を受けて回動することを特徴とする請求項２に記載の表示装置。
【請求項４】
前記表示ユニットは、前記支持部材が配設された第１の面と、前記第１の面の背面に位置する第２の面とを有し、前記回動部材は、前記第２の面側から前記回動部材に外力を受けて回動することを特徴とする請求項２または請求項３に記載の表示装置。
【請求項５】
前記表示ユニットは、開口を形成する開口形成部材を有し、前記回動部材は前記第１の位置で前記開口を閉止する閉止部を有し、前記第２の面側から前記開口を通して前記閉止部に外力を受けて回動することを特徴とする請求項４に記載の表示装置。
【請求項６】
前記開口形成部材は、前記第１の面側で少なくとも前記閉止部が当接する部分にシール部材を有することを特徴とする請求項５に記載の表示装置。
【請求項７】
前記固定部材は、被係合部を有し、前記回動部材は、前記被係合部に係合する係合部を有し、前記係合部の先端と前記回動部材の回動軸との間の距離が前記被係合部の先端と前記回動部材の回動軸との間の距離よりも小さくなるように配設されることを特徴とする請求項１から請求項６までのいずれかに記載の表示装置。
【請求項８】
前記固定部材は、被係合部を有し、前記回動部材は、前記被係合部に係合する係合部と、前記係合部に並設される補助係合部とを有することを特徴とする請求項１から請求項７までのいずれかに記載の表示装置。
【請求項９】
前記固定部材は、前記表示ユニットが前記固定部材に固定されるときに、前記第２の位置にある前記回動部材を前記第１の位置に移動させる固定時回動部材移動部を有することを特徴とする請求項１から請求項８までのいずれかに記載の表示装置。
【請求項１０】
前記固定部材は、前記表示ユニットが前記固定部材から離脱されるときに、前記第２の位置にある前記回動部材を前記第１の位置に移動させる離脱時回動部材移動部を有することを特徴とする請求項１から請求項９までのいずれかに記載の表示装置。
【請求項１１】
前記回動部材は、前記表示ユニットが前記固定部材から離脱されるときに、前記固定部材を押圧して前記表示ユニットを前記固定部材から離脱させる押圧部を有することを特徴とする請求項１から請求項１０までのいずれかに記載の表示装置。
【請求項１２】
前記表示ユニットは、前記固定部材に対する前記表示ユニットの位置を決める位置決め部材を有することを特徴とする請求項１から請求項１１までのいずれかに記載の表示装置。
【発明の詳細な説明】
【０００１】
【発明の属する技術分野】
本発明は、表示装置に関し、特に、大型の表示画面を構成する表示装置に関する。
【０００２】
【従来の技術】
従来、この種の表示装置は、広い場所で多くの人々に映像情報を提供する大型の表示画面を構成する表示装置として普及しており、スポーツ施設、イベント施設、ビルなどの各所に設置されている。このような従来の表示装置としては、複数の表示装置がマトリックス状に配置され大型の表示画面を構成する表示装置が知られている。
【０００３】
従来の表示装置は、固定部材と、固定部材に固定される表示ユニットとを備えている。固定部材は、大型の表示画面を設置する壁面などに取り付けられたフレームに支持されるようになっている。一方、表示ユニットには、赤（Ｒ）、緑（Ｇ）、青（Ｂ）の３種類の発光素子によって構成される複数の絵素（画素またはピクセルともいう）が配列されており、各絵素を最小の要素とする映像が表示されるようになっている。
【０００４】
表示ユニットは、図９に示すような、仮止め用のラッチ機構２１０を備えている。ラッチ機構２１０は、ケース２１１と、ケース２１１に保持され、固定部材２００に係合する位置に移動する爪部材２１２と、爪部材２１２を付勢するバネ２１３とを有している。このように構成された表示ユニットは、ラッチ機構２１０によって固定部材２００に仮止めされた後、複数のネジによって固定部材２００に固定されるようになっている。
【０００５】
【発明が解決しようとする課題】
しかしながら、上記従来の表示装置においては、同時に複数のラッチを開放できないためラッチを多数個設けることができず、表示ユニットを補助的に複数のネジによって固定部材に固定しなければならないため、表示装置の取り付け作業および取り外し作業が困難であるという問題があった。
【０００６】
本発明は、このような問題を解決するため、取り付け作業および取り外し作業を容易にすることができる表示装置を提供することを目的とするものである。
【０００７】
【課題を解決するための手段】
上記の課題を解決するために、本発明の表示装置は、表示ユニット取付用の固定部材と、前記固定部材に係合する第１の位置と前記固定部材から離隔する第２の位置との間を回動する回動部材および前記第１の位置ならびに前記第２の位置で付勢する付勢部材を有する表示ユニットとを備え、前記回動部材が前記固定部材に係合することで前記表示ユニットを前記固定部材に固定し、前記回動部材が前記固定部材から離隔することで前記表示ユニットを前記固定部材から離脱する構成を有しており、前記表示ユニットは、前記回動部材を、この回動部材が回動する時の回動軸にて支持する支持部材を有し、前記付勢部材は、一端が前記支持部材に設けられた付勢部材取付部に取り付けられ、他端が前記回動部材に設けられた付勢部材取付軸に取り付けられる構成を有することが好適である。
【０００８】
この構成により、本発明の表示装置は、回動部材を固定部材に係合させて表示ユニットを固定部材に固定することができるとともに、回動部材を固定部材から離隔させて表示ユニットを固定部材から離脱することができるので、取り付け作業および取り外し作業を容易にすることができる。
【０００９】
また、本発明の表示装置は、前記表示ユニットは、前記支持部材が配設された第１の面と、前記第１の面の背面に位置する第２の面とを有し、前記回動部材は、前記第１の面側から前記回動部材に外力を受けて回動する構成を有している。
【００１０】
この構成により、本発明の表示装置は、第１の面側から回動部材を回動させることができるので、表示装置の裏側から取り付け作業および取り外し作業を行うことができる。
【００１１】
さらに、本発明の表示装置は、前記表示ユニットは、前記支持部材が配設された第１の面と、前記第１の面の背面に位置する第２の面とを有し、前記回動部材は、前記第２の面側から前記回動部材に外力を受けて回動する構成を有している。
【００１２】
この構成により、本発明の表示装置は、第２の面側から回動部材を回動させることができるので、表示装置の表側から取り付け作業および取り外し作業を行うことができる。
【００１３】
さらに、本発明の表示装置は、前記表示ユニットは、開口を形成する開口形成部材を有し、前記回動部材は前記第１の位置で前記開口を閉止する閉止部を有し、前記第２の面側から前記開口を通して前記閉止部に外力を受けて回動する構成を有している。
【００１４】
この構成により、本発明の表示装置は、治具を挿入して回動部材を回動させるための開口を閉止することができるので、水や塵埃の浸入を防止することができる。
【００１５】
さらに、本発明の表示装置は、前記開口形成部材は、前記第１の面側で少なくとも前記閉止部が当接する部分にシール部材を有する構成を有している。
【００１６】
この構成により、本発明の表示装置は、さらに確実に開口を閉止することができる。
【００１７】
さらに、本発明の表示装置は、前記固定部材は、被係合部を有し、前記回動部材は、前記被係合部に係合する係合部を有し、前記係合部の先端と前記回動部材の回動軸との間の距離が前記被係合部の先端と前記回動部材の回動軸との間の距離よりも小さくなるように配設される構成を有している。
【００１８】
この構成により、本発明の表示装置は、表示ユニットが固定部材に固定されるときに、回動部材の回動を防止することができるので、回動部材が固定部材から外れることを防止することができる。
【００１９】
さらに、本発明の表示装置は、前記固定部材は、被係合部を有し、前記回動部材は、前記被係合部に係合する係合部と、前記係合部に並設される補助係合部とを有する構成を有している。
【００２０】
この構成により、本発明の表示装置は、係合部が被係合部に不十分に係合した場合でも、補助係合部が被係合部に係合することができ、表示ユニットの脱落を防止することができる。
【００２１】
さらに、本発明の表示装置は、前記固定部材は、前記表示ユニットが前記固定部材に固定されるときに、前記第２の位置にある前記回動部材を前記第１の位置に移動させる固定時回動部材移動部を有する構成を有している。
【００２２】
この構成により、本発明の表示装置は、表示ユニットが固定部材に固定されるときに、回動部材を第１の位置に移動させることができるので、取り付け作業を容易にすることができる。
【００２３】
さらに、本発明の表示装置は、前記固定部材は、前記表示ユニットが前記固定部材から離脱されるときに、前記第２の位置にある前記回動部材を前記第１の位置に移動させる離脱時回動部材移動部を有する構成を有している。
【００２４】
この構成により、本発明の表示装置は、表示ユニットが固定部材から離脱するときに、回動部材を第１の位置に移動させることができるので、次回の取り付け作業を容易にすることができる。
【００２５】
さらに、本発明の表示装置は、前記回動部材は、前記表示ユニットが前記固定部材から離脱されるときに、前記固定部材を押圧して前記表示ユニットを前記固定部材から離脱させる押圧部を有する構成を有している。
【００２６】
この構成により、本発明の表示装置は、表示ユニットが固定部材から離脱するときに、表示ユニットを固定部材から離隔させることができるので、取り外し作業を容易にすることができる。
【００２７】
さらに、本発明の表示装置は、前記表示ユニットは、前記固定部材に対する前記表示ユニットの位置を決める位置決め部材を有する構成を有している。
【００２８】
この構成により、本発明の表示装置は、表示ユニットを正確な位置に固定することができるので、取り付け作業を容易にすることができ、表示ユニットの位置を決めるための構成を簡単にすることができる。
【００２９】
【発明の実施の形態】
以下、本発明の実施の形態を図面に基づいて説明する。
【００３０】
図１から図８は、本発明の一実施の形態に係る表示装置を示す図である。
【００３１】
まず、本実施の形態に係る表示装置の構成について説明する。
【００３２】
表示装置１００は、図４および図５に示すように、固定部材１１０と、固定部材１１０に着脱自在に固定される表示ユニット１２０とを備えている。この表示装置１００が、複数個マトリックス状に配置されることにより大型の表示画面を構成するようになっている。
【００３３】
固定部材１１０は、大型の表示画面を設置する壁面などに取り付けられた図示しないフレームに支持されるようになっている。一方、表示ユニット１２０は、映像を表示する表示面１２１と、表示面１２１の背面に位置する裏面１２２とを有している。表示面１２１には、赤（Ｒ）、緑（Ｇ）、青（Ｂ）の３種類の発光素子によって構成される複数の絵素（画素またはピクセルともいう）が配列されており、各絵素を最小の要素とする映像が表示されるようになっている。
【００３４】
表示ユニット１２０は、図１および図２に示すように、支持部材１３０と、支持部材１３０に回動自在に支持される回動部材１４０と、回動部材１４０を付勢する例えばバネ等の付勢部材１５０とを有している。
【００３５】
また、表示ユニット１２０は、表示面１２１と裏面１２２とを貫通する開口１２４を形成する開口形成部材１２３を有しており、この開口形成部材１２３は、シール部材１２５を含んでいる。なお、本実施の形態において、裏面１２２は、支持部材１３０が配設された第１の面を構成しており、表示面１２１は、第１の面の背面に位置する第２の面を構成している。
【００３６】
また、表示ユニット１２０は、固定部材１１０に対する表示ユニット１２０の位置を決める位置決め部材１２６を有している。この位置決め部材１２６は、表示ユニット１２０に設けられた位置決めピンを含んでおり、固定部材１１０に形成された図示しない位置決め穴に挿入されることによって、表示面１２１の縦横方向の位置を決めるようになっている。
【００３７】
回動部材１４０は、回動軸１４１を有し、この回動軸１４１を中心にして回動するようになっている。回動部材１４０は、表示ユニット１２０が固定部材１１０に固定されるときに固定部材１１０に係合する第１の位置としての固定位置と、表示ユニット１２０が固定部材１１０から離脱するときに固定部材１１０から離隔する第２の位置としての離脱位置との間を回動するようになっている。
【００３８】
また、回動部材１４０は、固定位置で開口１２４を閉止する閉止部１４２を有しており、表示面１２１側から開口１２４を介して閉止部１４２に外力を受けることによって回動するようになっている。さらに、回動部材１４０は、固定部材１１０側に突出する突出部１４３を有しており、裏面１２２側から突出部１４３に外力を受けることによって回動するようになっている。
【００３９】
また、回動部材１４０は、表示ユニット１２０が固定部材１１０に固定されるときに固定部材１１０に係合する係合部１４４と、係合部１４４に並設される補助係合部１４５と、表示ユニット１２０が固定部材１１０から離脱するときに固定部材１１０を押圧する押圧部１４６とを有している。回動部材１４０は、押圧部１４６が固定部材１１０を押圧することによって、表示ユニット１２０を固定部材１１０から離隔させ、表示ユニット１２０を隣接する表示装置の表示ユニットよりも表示面１２１側に突出させるようになっている。
【００４０】
付勢部材１５０は、死点を越えて固定位置側に回動された場合には回動部材１４０を固定位置に付勢し、死点を越えて離脱位置側に回動された場合には回動部材１４０を離脱位置に付勢するようになっている。付勢部材１５０は、回動部材１４０に設けられた付勢部材取付軸１４７に係留される一端と、支持部材１３０に設けられた付勢部材取付部１３１に係留される他端とを有しており、回動部材１４０を上記の各位置で付勢するための付勢力を回動部材１４０に伝達するようになっている。ここで、付勢部材１５０の死点とは、回動部材１４０の回動に伴って付勢部材１５０が最も伸びた状態、即ち、回動部材１４０の付勢部材取付軸１４７が、回動部材１４０の回動軸１４１および支持部材１３０の付勢部材取付部１３１と同一の直線上に並んだ状態を意味するものである。
【００４１】
固定部材１１０は、図１および図３に示すように、表示ユニット１２０が固定部材１１０に固定されるときに係合部１４４が係合する被係合部１６０と、表示ユニット１２０が固定部材１１０に固定されるときに回動部材１４０の位置を移動させる固定時回動部材移動部１７０と、表示ユニット１２０が固定部材１１０から離脱するときに回動部材１４０の位置を移動させる離脱時回動部材移動部１８０とを有している。
【００４２】
固定時回動部材移動部１７０は、表示ユニット１２０が固定部材１１０に固定されるときに離脱位置にある回動部材１４０を固定位置に回動させるようになっている。離脱時回動部材移動部１８０は、表示ユニット１２０が固定部材１１０から離脱するときに離脱位置にある回動部材１４０を固定位置に回動させるようになっている。
【００４３】
また、回動部材１４０は、図１に示すように、係合部１４４の先端１４８と回動軸１４１との間の距離が、被係合部１６０の先端１６１と回動軸１４１との間の距離よりも小さくなるように配設されている。したがって、回動部材１４０の回動に伴って移動する係合部１４４の先端１４８の軌跡は、被係合部１６０の先端１６１よりも内側に位置するようになっているので、表示装置１００に不意な衝撃が加わった場合に、被係合部１６０が係合部１４４の移動を妨げ、固定部材１１０が回動部材１４０の回動を防止するようになっている。
【００４４】
また、補助係合部１４５は、係合部１４４が被係合部１６０に不十分に係合した場合に、即ち、係合部１４４の係合が浅かった場合に、被係合部１６０に係合するようになっている。
【００４５】
次に、本実施の形態に係る表示装置の動作について説明する。
【００４６】
まず、表示装置１００の取り付け動作を、回動部材１４０が固定位置にある場合と、回動部材１４０が離脱位置にある場合とにわけて説明する。
【００４７】
図６において、回動部材１４０が固定位置にある場合、表示ユニット１２０は、次の工程で固定部材１１０に固定される。まず、図６（ａ）に示すように、表示ユニット１２０を、固定部材１１０に対向する位置に配置する。
【００４８】
次に、図６（ｂ）に示すように、表示ユニット１２０を、固定部材１１０側に移動し、回動部材１４０の補助係合部１４５を、固定部材１１０の被係合部１６０に当接させる。
【００４９】
次に、図６（ｃ）に示すように、表示ユニット１２０を、さらに固定部材１１０側に移動し、回動部材１４０の補助係合部１４５を、固定部材１１０の被係合部１６０に係合させる。このとき、付勢部材１５０は、回動部材１４０を固定位置に付勢している。
【００５０】
次に、図６（ｄ）に示すように、表示ユニット１２０を、さらに固定部材１１０側に移動し、回動部材１４０の係合部１４４を、固定部材１１０の被係合部１６０に当接させる。
【００５１】
そして、図６（ｅ）に示すように、表示ユニット１２０を、さらに固定部材１１０側に移動し、回動部材１４０の係合部１４４を、固定部材１１０の被係合部１６０に係合させて、工程を終了する。このとき、付勢部材１５０は、回動部材１４０を固定位置に付勢している。
【００５２】
また、図７において、回動部材１４０が離脱位置にある場合、表示ユニット１２０は、次の工程で固定部材１１０に固定される。まず、図７（ａ）に示すように、表示ユニット１２０を、固定部材１１０に対向する位置に配置し、表示ユニット１２０を、固定部材１１０側に移動し、回動部材１４０の押圧部１４６を、固定部材１１０の固定時回動部材移動部１７０に当接させる。
【００５３】
次に、図７（ｂ）に示すように、表示ユニット１２０を、さらに固定部材１１０側に移動し、回動部材１４０を、固定部材１１０の固定時回動部材移動部１７０によって固定位置側に回動させる。このとき、付勢部材１５０は、回動部材１４０を離脱位置に付勢している。
【００５４】
次に、図７（ｃ）に示すように、表示ユニット１２０を、さらに固定部材１１０側に移動し、回動部材１４０を、固定部材１１０の固定時回動部材移動部１７０によって固定位置側に回動させ、付勢部材１５０を、離脱位置側付勢から固定位置側付勢に移行させる。これにより、付勢部材１５０が、回動部材１４０を固定位置側に回動させ、固定位置に付勢する。そして、図６（ｂ）に示した工程に進み、図６（ｂ）から図６（ｅ）に示した工程を通して表示ユニット１２０を固定部材１１０に固定し、工程を終了する。
【００５５】
次に、表示装置１００の取り外し動作を説明する。
【００５６】
図８において、表示ユニット１２０は、次の工程で固定部材１１０から離脱する。まず、図８（ａ）に示す、固定部材１１０に固定された表示ユニット１２０に対して、図８（ｂ）に示すように、表示ユニット１２０の表示面１２１側から表示ユニット１２０の開口１２４を介して図示しない治具を挿入し、この治具によって、表示ユニット１２０の表示面１２１側から回動部材１４０の閉止部１４２を押圧し、回動部材１４０を離脱位置側に回動させる。このとき、表示ユニット１２０の表示面１２１側から回動部材１４０の閉止部１４２を押圧するかわりに、表示ユニット１２０の裏面１２２側から回動部材１４０の突出部１４３を図中上方に押圧することによって、回動部材１４０を離脱位置側に回動させてもよい。
【００５７】
次に、図８（ｃ）に示すように、回動部材１４０を、さらに離脱位置側に回動させ、回動部材１４０の押圧部１４６を、固定部材１１０に当接させ、回動部材１４０の押圧部１４６が固定部材１１０を押圧することによって、表示ユニット１２０を、固定部材１１０から離隔させる。このとき、固定位置側付勢から離脱位置側付勢に移行した付勢部材１５０は、回動部材１４０を離脱位置に付勢している。
【００５８】
次に、図８（ｄ）に示すように、表示ユニット１２０を、さらに固定部材１１０から離隔する側に移動し、回動部材１４０を、固定部材１１０の離脱時回動部材移動部１８０に当接させ、回動部材１４０を、固定部材１１０の離脱時回動部材移動部１８０によって固定位置側に回動させる。このとき、付勢部材１５０は、回動部材１４０を離脱位置に付勢している。
【００５９】
次に、図８（ｅ）に示すように、表示ユニット１２０を、さらに固定部材１１０から離隔する側に移動し、回動部材１４０を、固定部材１１０の離脱時回動部材移動部１８０によって固定位置側に回動させ、付勢部材１５０を、離脱位置側付勢から固定位置側付勢に移行させる。これにより、付勢部材１５０が、回動部材１４０を固定位置に付勢し、回動部材１４０を固定位置に回動させる。そして、表示ユニット１２０を、さらに固定部材１１０から離隔する側に移動し、回動部材１４０を、固定部材１１０から離隔させて、工程を終了する。
【００６０】
以上説明したように、本実施の形態においては、回動部材１４０を固定部材１１０に係合させて表示ユニット１２０を固定部材１１０に固定することができるとともに、回動部材１４０を固定部材１１０から離隔させて表示ユニット１２０を固定部材１１０から離脱することができるので、取り付け作業および取り外し作業を容易にすることができ、かつ、取り付けの際には確実に固定することができる。
【００６１】
また、裏面１２２側から回動部材１４０を回動させることができるので、表示装置の裏側から取り付け作業および取り外し作業を行うことができる。
【００６２】
また、本実施の形態においては、表示面１２１側から回動部材１４０を回動させることができるので、表示装置の表側から取り付け作業および取り外し作業を行うことができる。
【００６３】
さらに、治具を挿入して回動部材１４０を回動させるための開口１２４を閉止することができるので、水や塵埃の浸入を防止することができる。
【００６４】
また、本実施の形態においては、開口形成部材１２３が、シール部材１２５を有するので、さらに確実に開口１２４を閉止することができる。
【００６５】
さらに、表示ユニット１２０が固定部材１１０に固定されるときに、回動部材１４０の回動を防止することができるので、回動部材１４０が固定部材から外れることを防止することができる。
【００６６】
さらに、係合部１４４が被係合部１６０に不十分に係合した場合でも、補助係合部１４５が被係合部１６０に係合することができ、表示ユニット１２０の脱落を防止することができる。
【００６７】
さらに、表示ユニット１２０が固定部材１１０に固定されるときに、回動部材１４０を第１の位置に移動させることができるので、取り付け作業を容易にすることができる。
【００６８】
さらに、表示ユニット１２０が固定部材１１０から離脱するときに、回動部材１４０を第１の位置に移動させることができるので、次回の取り付け作業を容易にすることができる。
【００６９】
さらに、表示ユニット１２０が固定部材１１０から離脱するときに、表示ユニット１２０を固定部材１１０から離隔させることができるので、取り外し作業を容易にすることができる。
【００７０】
さらに、表示ユニット１２０を正確な位置に固定することができるので、取り付け作業を容易にすることができ、表示ユニット１２０の位置を決めるための構成を簡単にすることができる。
【００７１】
なお、本実施の形態において、支持部材１３０、回動部材１４０および付勢部材１５０を含んで構成される表示ユニット側固定機構１９０は、表示ユニット１２０の周縁部に４組配置されるようになっているが、この表示ユニット側固定機構１９０の配置および数量は一例であり、表示装置の大きさなどの条件に応じて任意に構成することができる。
【００７２】
また、本実施の形態において、被係合部１６０、固定時回動部材移動部１７０および離脱時回動部材移動部１８０を含んで構成される固定部材側固定機構１９１は、表示ユニット側固定機構１９０に対応して、固定部材１１０の周縁部に４組配置されるようになっているが、この固定部材側固定機構１９１の配置および数量は一例であり、表示装置の大きさなどの条件に応じて任意に構成することができる。
【００７３】
【発明の効果】
以上説明したように、本発明によれば、取り付け作業および取り外し作業を容易にすることができるという効果を有する表示装置を提供することができる。
【図面の簡単な説明】
【図１】本発明の一実施の形態に係る表示装置の要部断面図
【図２】本発明の一実施の形態に係る表示装置の表示ユニットの要部斜視図
【図３】本発明の一実施の形態に係る表示装置の固定部材の要部斜視図
【図４】本発明の一実施の形態に係る表示装置の斜視図
【図５】本発明の一実施の形態に係る表示装置の斜視図
【図６】本発明の一実施の形態に係る表示装置の取り付け動作を示す要部断面図
【図７】本発明の一実施の形態に係る表示装置の取り付け動作を示す要部断面図
【図８】本発明の一実施の形態に係る表示装置の取り外し動作を示す要部断面図
【図９】従来の表示装置のラッチ機構の断面図
【符号の説明】
１００　表示装置
１１０　固定部材
１２０　表示ユニット
１２１　表示面（第２の面）
１２２　裏面（第１の面）
１２３　開口形成部材
１２４　開口
１２５　シール部材
１２６　位置決め部材
１３０　支持部材
１４０　回動部材
１４１　回動軸
１４２　閉止部
１４４　係合部
１４５　補助係合部
１４６　押圧部
１５０　付勢部材
１６０　被係合部
１７０　固定時回動部材移動部
１８０　離脱時回動部材移動部
【図１】
2004037708.tif 000003
【図２】
2004037708.tif 000004
【図３】
2004037708.tif 000005
【図４】
2004037708.tif 000006
【図５】
2004037708.tif 000007
【図６】
2004037708.tif 000008
【図７】
2004037708.tif 000009
【図８】
2004037708.tif 000010
【図９】
2004037708.tif 000011